(57)【特許請求の範囲】
【請求項１】
情報処理装置の機種ごとに対応する操作部が含まれる複数の操作画像から選択された前記操作画像を表示部に表示させる表示処理部と、
前記表示部に表示される前記操作画像に含まれる操作キー各々の操作を検出する操作検出部と、
前記操作検出部により前記操作キーの操作が検出された場合に前記操作キーと前記機種との組み合わせごとに予め対応付けられた処理を実行する処理実行部と、
を備え、
前記操作画像に、タッチ操作を受け付けるタッチパネルの画像が含まれ、
前記表示処理部が、前記タッチパネルの画像内に自装置で前記表示部に初期表示される第２初期画面を表示可能である情報処理装置。
【請求項２】
前記表示処理部が、ユーザー操作に応じて前記タッチパネルの画像内に表示される画面を前記操作画像に対応する前記機種の情報処理装置で前記タッチパネルに初期表示される第１初期画面及び前記第２初期画面のいずれかに切替可能である請求項１に記載の情報処理装置。
【請求項３】
複数の前記機種に対応する複数の前記操作画像を前記表示部に表示させ、複数の前記操作画像のいずれかの選択操作に応じて前記表示処理部により表示される前記操作画像を設定する設定処理部を更に備える請求項１又は２に記載の情報処理装置。
【請求項４】
前記表示処理部が、前記処理実行部が実行可能な処理に対応する前記操作キーと前記処理実行部が実行不能な処理に対応する前記操作キーとを識別可能に表示する請求項１〜３のいずれかに記載の情報処理装置。
【請求項５】
予め設定された認証操作に応じてユーザーを認証する認証処理部を更に備え、
前記表示処理部が、前記認証処理部による認証結果に応じて前記操作画像の表示の有無及び前記操作画像の種類を切り替える請求項１〜４のいずれかに記載の情報処理装置。
【請求項６】
前記表示処理部が、前記表示部に対する予め定められた拡大操作に応じて前記操作画像の一部を拡大して表示させる請求項１〜５のいずれかに記載の情報処理装置。
【請求項７】
前記操作画像が、前記操作部の俯瞰図である請求項１〜６のいずれかに記載の情報処理装置。
【請求項８】
原稿から画像データを読取可能な画像読取部及び画像データに基づいて画像を形成可能な画像形成部のいずれか一方又は両方を備える請求項１〜７のいずれかに記載の情報処理装置。
【請求項９】
情報処理装置の機種ごとに対応する操作部が含まれる複数の操作画像から選択された前記操作画像を表示部に表示させる第１ステップと、
前記表示部に表示される前記操作画像に含まれる操作キー各々の操作を検出する第２ステップと、
前記第２ステップにより前記操作キーの操作が検出された場合に前記操作キーと前記機種との組み合わせごとに予め対応付けられた処理を実行する第３ステップと、
を含み、
前記操作画像に、タッチ操作を受け付けるタッチパネルの画像が含まれ、
前記第１ステップでは、前記タッチパネルの画像内に自装置で前記表示部に初期表示される第２初期画面が表示されることがある処理実行方法。
【発明の詳細な説明】
【技術分野】
【０００１】
本発明は、情報処理装置及び情報処理装置で実行される処理実行方法に関する。
【背景技術】
【０００２】
一般に、画像データに基づいて画像を形成可能なプリンターのような情報処理装置が知られている。この種の情報処理装置は、ユーザーによる操作入力を受付可能な操作キー又はタッチパネルなどの操作部を備えることがある（例えば、特許文献１参照）。
【先行技術文献】
【特許文献】
【０００３】
【特許文献１】特開２００６−２１１３７４号公報
【発明の概要】
【発明が解決しようとする課題】
【０００４】
ところで、情報処理装置の機種が異なれば、操作部の構成が異なる場合がある。例えば、情報処理装置の機種によって操作キーの数又は配置が異なる場合がある。そのため、情報処理装置の機種が変更されて操作部の構成が変化した場合には、ユーザーは不慣れな操作部による操作を強いられることがある。
【０００５】
本発明の目的は、情報処理装置の機種によって操作部の構成が異なることに起因する利便性の低下を抑制可能な情報処理装置及び処理実行方法を提供することにある。
【課題を解決するための手段】
【０００６】
本発明の一の局面に係る情報処理装置は、表示処理部と、操作検出部と、処理実行部とを備える。前記表示処理部は、情報処理装置の機種ごとに対応する操作部が含まれる複数の操作画像から選択された前記操作画像を表示部に表示させる。前記操作検出部は、前記表示部に表示される前記操作画像に含まれる操作キー各々の操作を検出する。前記処理実行部は、前記操作検出部により前記操作キーの操作が検出された場合に前記操作キーと前記機種との組み合わせごとに予め対応付けられた処理を実行する。
【０００７】
本発明の他の局面に係る処理実行方法は、情報処理装置で実行され、以下の第１ステップから第３ステップまでを含む。前記第１ステップは、情報処理装置の機種ごとに対応する操作部が含まれる複数の操作画像から選択された前記操作画像を表示部に表示させる。前記第２ステップは、前記表示部に表示される前記操作画像に含まれる操作キー各々の操作を検出する。前記第３ステップは、前記第２ステップにより前記操作キーの操作が検出された場合に前記操作キーと前記機種との組み合わせごとに予め対応付けられた処理を実行する。
【発明の効果】
【０００８】
本発明によれば、情報処理装置の機種によって操作部の構成が異なることに起因する利便性の低下を抑制可能な情報処理装置及び処理実行方法が実現される。
【図面の簡単な説明】
【０００９】
【図１】図１は、本発明の実施形態に係る画像処理装置の構成を示す図である。
【図２】図２は、本発明の実施形態に係る画像処理装置のシステム構成を示すブロック図である。
【図３】図３は、本発明の実施形態に係る画像処理装置の操作表示部の構成を示す図である。
【図４】図４は、本発明の実施形態に係る画像処理装置で実行される操作画像表示処理の一例を示すフローチャートである。
【図５】図５は、本発明の実施形態に係る画像処理装置の表示部に表示される複数の操作画像の一例を示す図である。
【図６】図６は、本発明の実施形態に係る画像処理装置の表示部に表示される操作画像の一例を示す図である。
【図７】図７は、本発明の実施形態に係る画像処理装置で実行される操作検出処理の一例を示すフローチャートである。
【発明を実施するための形態】
【００１０】
以下、添付図面を参照しながら、本発明の実施形態について説明し、本発明の理解に供する。なお、以下の実施形態は、本発明を具体化した一例であって、本発明の技術的範囲を限定するものではない。
【００１１】
［画像処理装置１０の概略構成］
まず、図１〜図３を参照しつつ、本発明の実施形態に係る画像処理装置１０の概略構成について説明する。ここで、図１は画像処理装置１０の構成を示す断面模式図である。
【００１２】
図１及び図２に示すように、画像処理装置１０は、ＡＤＦ１、画像読取部２、画像形成部３、給紙部４、制御部５、操作表示部６、及び記憶部７を備える。ここに、画像処理装置１０が、本発明における情報処理装置の一例である。画像処理装置１０は、原稿から画像データを読み取るスキャン機能、及び画像データに基づいて画像を形成するプリント機能と共に、ファクシミリ機能、又はコピー機能などの複数の機能を有する複合機である。なお、本発明は、スキャナー装置、プリンター装置、ファクシミリ装置、コピー機、パーソナルコンピューター、スマートフォン、テレビ、空気調和器、洗濯機、冷蔵庫、電子レンジなどの情報処理装置に適用可能である。
【００１３】
ＡＤＦ１は、不図示の原稿セット部、複数の搬送ローラー、原稿押さえ、及び排紙部を備え、画像読取部２によって読み取られる原稿を搬送する自動原稿搬送装置である。画像読取部２は、不図示の原稿台、光源、複数のミラー、光学レンズ、及びＣＣＤ（Charge Coupled Device）を備え、原稿から画像データを読み取ることが可能である。
【００１４】
画像形成部３は、画像読取部２で読み取られた画像データ又は外部のパーソナルコンピューター等の情報処理装置から入力された画像データに基づいて、電子写真方式でカラー又はモノクロの画像を形成する画像形成処理（印刷処理）を実行可能である。具体的に、画像形成部３は、Ｃ（シアン）、Ｍ（マゼンタ）、Ｙ（イエロー）、及びＫ（ブラック）に対応する複数の画像形成ユニット、光走査装置（ＬＳＵ）、中間転写ベルト、二次転写ローラー、定着装置、及び排紙トレイを備える。そして、画像形成部３では、給紙部４から供給されるシートにカラー又はモノクロの画像が形成されて、画像形成後の前記シートが前記排紙トレイに排出される。なお、前記シートは、紙、コート紙、ハガキ、封筒、及びＯＨＰシートなどのシート材料である。
【００１５】
制御部５は、不図示のＣＰＵ、ＲＯＭ、及びＲＡＭなどの制御機器を備える。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは、前記ＣＰＵが実行する各種の処理の一時記憶メモリー（作業領域）として使用される揮発性の記憶部である。制御部５では、前記ＣＰＵにより前記ＲＯＭに予め記憶された各種の制御プログラムが実行される。これにより、画像処理装置１０が制御部５により統括的に制御される。なお、制御部５は、集積回路（ＡＳＩＣ）などの電子回路で構成されたものであってもよく、画像処理装置１０を統括的に制御するメイン制御部とは別に設けられた制御部であってもよい。
【００１６】
操作表示部６は、図２及び図３に示すように、表示部６１及び操作部６２を備える。表示部６１は、制御部５からの制御指示に応じて各種の情報を表示する。例えば、表示部６１は液晶ディスプレーである。なお、図３は操作表示部６の構成を示す俯瞰模式図である。図３において一点鎖線で示される図形各々は、表示部６１に表示される操作キーの画像を示すものである。図３に示す表示部６１では、画像処理装置１０で表示部６１に初期表示される第２初期画面６１Ａが表示されている。第２初期画面６１Ａでは、図３に示すように、複数の操作キーの画像が表示される。図３に示された第２初期画面６１Ａは、画像処理装置１０の機種に対応して予め設定された操作画面である。
【００１７】
操作部６２は、ユーザーの操作に応じて制御部５に各種の情報を入力する。操作部６２は、図３に示すように、操作キー６２Ａ、及び表示部６１の表示面に対するタッチ操作を受け付けるタッチパネル６２Ｂを備える。
【００１８】
記憶部７は、ＳＳＤ（ソリッドステートドライブ）又はＨＤＤ（ハードディスクドライブ）などの記憶装置である。記憶部７には、制御部５がユーザーを認証するために用いる認証情報が記憶される。例えば、前記認証情報は、ユーザー毎に予め定められたユーザー名及びパスワードである。なお、記憶部７は、制御部５の前記ＲＡＭなどであってもよい。
【００１９】
ところで、画像処理装置１０のような情報処理装置では、情報処理装置の機種ごとに操作部６２の構成が異なる場合がある。例えば、情報処理装置の機種によって操作キー６２Ａの数又は配置が異なる場合がある。そのため、情報処理装置の機種が変更されて操作部６２の構成が変化した場合には、ユーザーは不慣れな操作部６２による操作を強いられることがある。これに対し、本発明の実施形態に係る画像処理装置１０では、以下に説明するように、情報処理装置の機種によって操作部６２の構成が異なることに起因する利便性の低下を抑制することが可能である。
【００２０】
具体的に、制御部５の前記ＲＯＭには、前記ＣＰＵに後述の操作画像表示処理（図４のフローチャート参照）及び操作検出処理（図７のフローチャート参照）を実行させるための操作画像表示プログラムが予め記憶されている。なお、前記操作画像表示プログラムは、ＣＤ、ＤＶＤ、フラッシュメモリーなどのコンピューター読み取り可能な記録媒体に記録されており、前記記録媒体から読み取られて記憶部７にインストールされるものであってもよい。
【００２１】
そして、制御部５は、図２に示すように、認証処理部５１、設定処理部５２、表示処理部５３、操作検出部５４、及び処理実行部５５を含む。具体的に、制御部５は、前記ＣＰＵを用いて前記ＲＯＭに記憶されている前記操作画像表示プログラムを実行することにより、認証処理部５１、設定処理部５２、表示処理部５３、操作検出部５４、及び処理実行部５５として機能する。
【００２２】
認証処理部５１は、予め設定された認証操作に応じてユーザーを認証するログイン処理を実行する。具体的に、認証処理部５１は、表示部６１に前記認証操作を行うための認証画面を必要に応じて表示させる。そして、認証処理部５１は、前記認証画面においてユーザーによる操作部６２に対するログイン情報の入力操作を受け付ける。ここに、前記入力操作が前記認証操作の一例である。その後、認証処理部５１は、操作部６２から入力された前記ログイン情報が記憶部７に記憶されている前記認証情報に含まれている場合に認証完了と判断し、ユーザーを画像処理装置１０にログインさせる。なお、認証処理部５１は、操作部６２に対するログアウト操作が行われた場合、予め設定された時間が経過した場合、又は他のユーザーをログインさせる場合に、現在ログイン中のユーザーをログアウトさせるログアウト処理を実行する。
【００２３】
設定処理部５２は、画像処理装置１０の機種（以下、自己機種という）と異なる一又は複数の他の機種（以下、他機種という）に対応する複数の操作画像を表示部６１に表示させ、複数の前記操作画像のいずれかの選択操作に応じて表示処理部５３により表示される前記操作画像を設定することが可能である。ここで、前記操作画像は、前記他機種ごとに対応する操作部が含まれる画像である。例えば、前記操作画像は、操作キーの画像及びタッチパネルの画像を含む操作部の俯瞰図である。
【００２４】
例えば、記憶部７には、複数の前記他機種に対応する複数の前記操作画像が予め記憶されている。設定処理部５２は、操作部６２におけるユーザー操作に応じて、記憶部７から複数の前記操作画像を読み出し、読み出した前記操作画像を縮小して表示部６１に表示させる。なお、設定処理部５２は、外部の情報処理装置から前記操作画像を取得して、取得した前記操作画像を表示部６１に表示させてもよい。
【００２５】
そして、設定処理部５２は、表示部６１に表示された複数の前記操作画像のうち、前記選択操作が行われた前記操作画像を、表示処理部５３により表示される前記操作画像に設定する。即ち、設定処理部５２は、前記自己機種に対応する操作画面だけでなく、その操作画面に代えて、前記他機種の画像処理装置が備える操作部に対応する操作画面を表示部６１に表示される操作画面として設定することが可能である。例えば、前記選択操作は、表示部６１に表示された前記操作画像に対するタッチ操作である。
【００２６】
ここで、設定処理部５２は、認証処理部５１により認証されるユーザーごとに、前記選択操作が行われた前記操作画像を、表示処理部５３により表示される前記操作画像に設定する。
【００２７】
表示処理部５３は、複数の前記操作画像から選択された前記操作画像を表示部６１に表示させる。具体的に、表示処理部５３は、設定処理部５２により設定された前記操作画像を記憶部７から読み出して、読み出した前記操作画像のサイズを表示部６１の画面サイズに応じて拡大又は縮小して表示部６１に表示させる。ここで、表示処理部５３は、認証処理部５１による認証結果に応じて、前記操作画像の表示の有無及び前記操作画像の種類を切り替える。
【００２８】
また、表示処理部５３は、表示部６１に表示された前記操作画像に含まれる前記タッチパネルの画像内に、前記操作画像に対応する前記他機種の画像処理装置で前記タッチパネルに初期表示される第１初期画面８１１Ａ（図６参照）を表示させる。そして、表示処理部５３は、操作部６２において予め定められた切替操作が行われた場合に、表示部６１に表示される画面を前記操作画像が表示された画面から第２初期画面６１Ａに切り替える。例えば、前記切替操作は、予め定められた操作キー６２Ａに対する操作である。
【００２９】
なお、表示処理部５３は、表示部６１に表示された前記操作画像に含まれる前記タッチパネルの画像内に、第２初期画面６１Ａを表示させてもよい。また、表示処理部５３は、操作部６２に対するユーザー操作に応じて、前記タッチパネルの画像内に表示される画面を第１初期画面８１１Ａ及び第２初期画面６１Ａのいずれかに切替可能であってもよい。
【００３０】
また、表示処理部５３は、表示部６１に対する予め定められた拡大操作に応じて、前記操作画像の一部を拡大して表示させる。例えば、前記拡大操作は、表示部６１に表示された前記操作画像に対するピンチアウト操作である。
【００３１】
操作検出部５４は、表示部６１に表示される前記操作画像に含まれる前記操作キー各々の操作を検出する。具体的に、操作検出部５４は、タッチパネル６２Ｂから入力されるタッチ操作の位置情報に基づいて、表示処理部５３により表示部６１に表示される前記操作キー各々に対する操作を検出する。
【００３２】
処理実行部５５は、操作検出部５４により前記操作キーの操作が検出された場合に、前記操作キーと、表示部６１に表示された前記操作画像に対応する前記他機種との組み合わせごとに予め対応付けられた処理を実行する。具体的に、前記予め対応付けられた処理は、制御部５の前記ＣＰＵが前記制御プログラムに基づいて実行可能な処理である。
【００３３】
例えば、画像処理装置１０では、前記操作キーと前記他機種との組み合わせと、前記他機種で前記操作キーが操作された場合に実行される処理に相当する制御部５が実行可能な処理とが予め対応付けられたテーブルデータが記憶部７に記憶されている。そして、処理実行部５５は、前記テーブルデータを参照することで、前記他機種と操作検出部５４により操作が検出された前記操作キーとの組み合わせに対応する処理を特定して、特定された前記処理を実行する。
【００３４】
なお、処理実行部５５は、表示部６１に表示される第１初期画面８１１Ａ内の操作キーへのタッチ操作が検出された場合には、第１初期画面８１１Ａ内の操作キーに対応する処理を特定して実行する。
【００３５】
ところで、前記他機種で前記操作キーが操作された場合に実行される処理に相当する処理が、制御部５が実行可能な処理の中に含まれていない場合がある。そこで、表示処理部５３は、表示部６１に表示される前記操作画像に含まれる前記操作キーの中に処理実行部５５が実行不能な処理に対応する前記操作キーが含まれる場合には、処理実行部５５が実行不能な処理に対応する前記操作キーと処理実行部５５が実行可能な処理に対応する前記操作キーとを識別可能に表示する。例えば、表示処理部５３は、処理実行部５５が実行不能な処理に対応する前記操作キーをグレーアウト表示する。
【００３６】
［操作画像表示処理］
以下、図４を参照しつつ、画像処理装置１０において制御部５により実行される操作画像表示処理の手順の一例について説明する。ここで、ステップＳ１１、Ｓ１２・・・は、制御部５により実行される処理手順（ステップ）の番号を表している。なお、制御部５は、操作表示部６において操作画面を設定するためのユーザー操作が行われた場合に、前記操作画像表示処理を実行する。
【００３７】
＜ステップＳ１１＞
まず、ステップＳ１１において、制御部５は、複数の前記他機種に対応する複数の前記操作画像を表示部６１に表示させる。例えば、制御部５は、記憶部７から複数の前記操作画像を読み出し、読み出した前記操作画像を縮小して表示部６１に表示させる。
【００３８】
ここで、ステップＳ１１で制御部５により表示部６１に表示される複数の前記操作画像の一例を図５に示す。なお、図５は、制御部５によりステップＳ１１の処理が実行された場合に表示部６１に表示される表示画面６１Ｂを示す図である。図５に示す表示画面６１Ｂでは、複数の操作画像８１〜８６が縮小されて表示されている。なお、ユーザーは、例えば表示画面６１Ｂに対してスワイプ操作を行うことで、他の前記操作画像を表示画面６１Ｂに表示させることが可能である。
【００３９】
＜ステップＳ１２＞
ステップＳ１２において、制御部５は、ステップＳ１１で表示された複数の前記操作画像のいずれかに対してタッチ操作が行われたか否かを判断する。
【００４０】
ここで、制御部５は、複数の前記操作画像のいずれかに対してタッチ操作が行われたと判断すると（Ｓ１２のＹｅｓ側）、処理をステップＳ１３に移行させる。また、複数の前記操作画像のいずれに対してもタッチ操作が行われていなければ（Ｓ１２のＮｏ側）、制御部５は、ステップＳ１２で複数の前記操作画像のいずれかに対するタッチ操作を待ち受ける。
【００４１】
＜ステップＳ１３＞
ステップＳ１３において、制御部５は、ステップＳ１２でタッチ操作が行われた前記操作画像を、表示部６１に表示させる前記操作画像に設定する。ここで、ステップＳ１１からステップＳ１３までの処理は、制御部５の設定処理部５２により実行される。なお、制御部５は、画像処理装置１０にログインしているユーザーが存在する場合には、ステップＳ１２でタッチ操作が行われた前記操作画像を前記ユーザーに対応付けて設定する。
【００４２】
＜ステップＳ１４＞
ステップＳ１４において、制御部５は、ステップＳ１３で設定された前記操作画像を表示部６１に表示させる。ここに、ステップＳ１４の処理が、本発明における第１ステップの一例であって、制御部５の表示処理部５３により実行される。
【００４３】
具体的に、制御部５は、ステップＳ１３で設定された前記操作画像を記憶部７から読み出して、読み出した前記操作画像のサイズを表示部６１の画面サイズに応じて拡大又は縮小して表示部６１に表示させる。また、制御部５は、表示部６１に表示された前記操作画像に含まれる前記タッチパネルの画像内に、第１初期画面８１１Ａを表示させる。
【００４４】
ここで、ステップＳ１４で制御部５により表示部６１に表示される前記操作画像の一例を図６に示す。なお、図６は、制御部５によりステップＳ１４の処理が実行された場合に表示部６１に表示される表示画面６１Ｃを示す図である。また、図６において一点鎖線で示される図形各々は、タッチパネル８１１内に表示される操作キーの画像を示すものである。また、図６においてハッチングが施された領域は、グレーアウト表示された操作キー８１２Ａを示すものである。
【００４５】
図６に示す表示画面６１Ｃでは、操作画像８１が表示部６１の画面サイズに応じたサイズに拡大又は縮小されて表示されている。操作画像８１には、図６に示すように、タッチパネル８１１及び操作キー８１２が含まれる。タッチパネル８１１には、複数の操作キーの画像を含む第１初期画面８１１Ａが表示される。また、操作画像８１に表示される操作キー８１２のうち、制御部５が実行不能な処理に対応する操作キー８１２Ａはグレーアウト表示される。
【００４６】
なお、制御部５は、既にステップＳ１３での前記操作画像の設定処理を行ったユーザーが画像処理装置１０にログインした場合には、ステップＳ１１からステップＳ１３の処理を省略して、ステップＳ１４の処理を実行する。これにより、制御部５は、画像処理装置１０にログインするユーザーごとに、表示部６１に表示させる前記操作画像の種類を切り替えることが可能である。なお、制御部５は、前記操作画像を設定していないユーザーが画像処理装置１０にログインした場合には、表示部６１に第２初期画面６１Ａを表示させる。ここで、ユーザーを画像処理装置１０にログインさせる前記ログイン処理は、制御部５の認証処理部５１により実行される。
【００４７】
また、制御部５は、ステップＳ１１からステップＳ１３の処理に替えて、前記他機種各々を識別する識別情報の入力操作をユーザーから受け付けて、入力された前記識別情報に対応する前記他機種の前記操作画像を記憶部７から読み出して設定してもよい。
【００４８】
［操作検出処理］
次に、図７を参照しつつ、画像処理装置１０において制御部５により実行される操作検出処理の手順の一例について説明する。なお、制御部５は、前記操作画像が表示部６１に表示されている場合に前記操作検出処理を実行する。
【００４９】
＜ステップＳ２１＞
まず、ステップＳ２１において、制御部５は、表示部６１に表示された前記操作画像に含まれる前記操作キー各々に対するタッチ操作を検出したか否かを判断する。ここに、ステップＳ２１の処理が、本発明における第２ステップの一例であって、制御部５の操作検出部５４により実行される。例えば、制御部５は、タッチパネル６２Ｂから入力されるタッチ操作の位置情報に基づいて、表示部６１に表示された前記操作キー各々に対する操作を検出する。
【００５０】
ここで、制御部５は、前記操作キー各々に対するタッチ操作を検出したと判断すると（Ｓ２１のＹｅｓ側）、処理をステップＳ２２に移行させる。また、前記操作キー各々に対するタッチ操作を検出していなければ（Ｓ２１のＮｏ側）、制御部５は、処理をステップＳ２３に移行させる。
【００５１】
＜ステップＳ２２＞
ステップＳ２２において、制御部５は、ステップＳ２１でタッチ操作が検出された前記操作キーに対応する処理を実行する。ここに、ステップＳ２２の処理が、本発明における第３ステップの一例であって、制御部５の処理実行部５５により実行される。
【００５２】
例えば、制御部５は、前記テーブルデータを参照して、表示部６１に表示された前記操作画像に対応する前記他機種とステップＳ２１で検出された前記操作キーとの組み合わせに対応する処理を特定して、特定された前記処理を実行する。
【００５３】
なお、制御部５は、表示部６１に表示された第１初期画面８１１Ａ内の操作キーへのタッチ操作が検出された場合には、第１初期画面８１１Ａ内の操作キーに対応する処理を特定して実行する。また、制御部５は、ステップＳ２１でタッチ操作が検出された前記操作キーが、表示部６１にグレーアウト表示された前記操作キーである場合には、対応する処理を実行できない旨のメッセージを表示部６１に表示させる。
【００５４】
＜ステップＳ２３＞
ステップＳ２３において、制御部５は、表示部６１に対するピンチアウト操作を検出したか否かを判断する。
【００５５】
ここで、制御部５は、表示部６１に対するピンチアウト操作を検出したと判断すると（Ｓ２３のＹｅｓ側）、処理をステップＳ２４に移行させる。また、表示部６１に対するピンチアウト操作を検出していなければ（Ｓ２３のＮｏ側）、制御部５は、処理をステップＳ２５に移行させる。
【００５６】
＜ステップＳ２４＞
ステップＳ２４において、制御部５は、ステップＳ２３で検出されたピンチアウト操作に応じて、表示部６１に表示されている前記操作画像の一部を拡大して表示させる。これにより、表示部６１に表示される前記操作画像に含まれる前記操作キー各々の表示が細かいものとなる場合であっても、前記操作キー各々に対する操作を容易にすることが可能となる。なお、制御部５は、表示部６１に対するピンチイン操作に応じて、表示部６１に表示されている前記操作画像を縮小して表示させる。また、制御部５は、表示部６１に対するスワイプ操作に応じて、表示部６１に表示される前記操作画像の表示領域を移動させる。
【００５７】
＜ステップＳ２５＞
ステップＳ２５において、制御部５は、操作部６２において予め定められた操作キー６２Ａに対する操作が行われたか否かを判断する。
【００５８】
ここで、制御部５は、操作部６２において予め定められた操作キー６２Ａに対する操作が行われたと判断すると（Ｓ２５のＹｅｓ側）、処理をステップＳ２６に移行させる。また、操作部６２において予め定められた操作キー６２Ａに対する操作が行われていなければ（Ｓ２５のＮｏ側）、制御部５は、処理をステップＳ２１に移行させる。そして、制御部５は、操作部６２において予め定められた操作キー６２Ａに対する操作が行われるまでの間、ステップＳ２１からステップＳ２４までの処理を実行する。
【００５９】
＜ステップＳ２６＞
ステップＳ２６において、制御部５は、表示部６１に表示される画面を前記操作画像が表示された画面から第２初期画面６１Ａに切り替える。これにより、ユーザーは制御部５が実行可能であって表示部６１に表示される前記操作画像からは実行を指示することができない処理を、第２初期画面６１Ａにおける操作により実行することが可能である。
【００６０】
なお、表示部６１に表示された前記操作画像に含まれる前記タッチパネルの画像内に第２初期画面６１Ａが表示される場合には、ステップＳ２５及びステップＳ２６の処理を省略してもよい。
【００６１】
このように、本発明の実施形態に係る画像処理装置１０では、制御部５により前記操作画像表示処理が実行されて、ユーザーにより選択された前記他機種の前記操作画像が表示部６１に表示される。また、画像処理装置１０では、制御部５により前記操作検出処理が実行されることで、ユーザーは表示部６１に表示される前記操作画像に基づいて画像処理装置１０を操作することが可能である。従って、情報処理装置の機種によって操作部６２の構成が異なることに起因する利便性の低下を抑制することが可能である。
【符号の説明】
【００６２】
１  ：ＡＤＦ
２  ：画像読取部
３  ：画像形成部
４  ：給紙部
５  ：制御部
５１：認証処理部
５２：設定処理部
５３：表示処理部
５４：操作検出部
５５：処理実行部
６  ：操作表示部
６１：表示部
６２：操作部
６２Ａ：操作キー
６２Ｂ：タッチパネル
７  ：記憶部
１０：画像処理装置
【図１】
0006308143.tif 000002
【図２】
0006308143.tif 000003
【図３】
0006308143.tif 000004
【図４】
0006308143.tif 000005
【図５】
0006308143.tif 000006
【図６】
0006308143.tif 000007
【図７】
0006308143.tif 000008